(57)【要約】  ハンドルと、把持器と、カテーテルと、制御リングと、制御ファイバーと、を含む摘出器装置が開示される。ハンドルは把持器をカテーテルの内外に移動させる駆動スライドを有する。把持器は、把持器がカテーテルの外にある間、各々が制御ファイバーにスライド可能に連結されて制御ファイバーループを形成する、ずらされた長さの複数のアームを有する。制御リングを引くことは、ループを引き締め、アームの端部を内向きに撓ませ、アームを異物の周りに曲げる。【選択図】図１
2021505224.tif 000002
【特許請求の範囲】
【請求項１】
摘出器装置であって、
ハンドル本体に移動可能に連結された駆動スライドを含むハンドルであって、前記駆動スライドは引出し位置と引込み位置との間を移動可能であり、前記ハンドルはカテーテルの第１の端部に連結され、前記駆動スライドは前記カテーテルの内部で駆動ワイヤの第１の端部に連結され、前記駆動ワイヤは前記カテーテルと実質的に長さが等しい、ハンドルと、
前記駆動ワイヤの前記第１の端部から遠位の、前記駆動ワイヤの第２の端部に固定して連結された把持器であって、前記把持器はずらされた長さの４つのアームを含み、各アームは前記駆動ワイヤに連結された第１の端部と、前記駆動ワイヤから遠位の第２の端部と、を有し、各アームの前記第２の端部は開口を含み、前記把持器は、前記把持器が前記カテーテルの前記第２の端部に近接して前記カテーテルの内部に位置する収容位置であって、前記把持器の前記アームは内向きに圧潰され、前記駆動スライドは前記引込み位置にある、収容位置と、前記把持器が前記カテーテルの外側に位置する開位置であって、前記アームは外向きに延ばされ、前記駆動スライドは前記引出し位置にある、開位置と、の間を、前記駆動ワイヤを介して前記駆動スライドによって移動可能である、把持器と、
前記ハンドル本体にスライド可能に連結され、前記カテーテルの前記第１の端部に近接する中立位置を有する制御リングと、
各々が前記制御リングに連結された第１の端部および第２の端部を有する制御ファイバーであって、前記制御ファイバーは前記カテーテルの前記第１の端部から前記把持器へ前記カテーテルの前記内部を下って延び、前記４つのアームの第１のアームの前記第２の端部の前記開口を通り抜け、そして、前記制御ファイバーは前記４つのアームの各後続のアームの前記開口を通り抜け、前記把持器が前記開位置にあるときに前記把持器の前記アーム間にループが形成されるように前記第１のアームの前記開口を再び通り抜け、その後、前記制御ファイバーは前記カテーテルの前記第２の端部から前記カテーテルの前記第１の端部へ前記カテーテルの前記内部を上って延びる、制御ファイバーと、を備え、
各アームは、前記駆動ワイヤの前記第２の端部の中心軸から外向きに湾曲し、前記駆動ワイヤの前記第２の端部の中心軸から離れるように付勢され、
前記把持器が前記開位置にある間に前記制御リングを前記中立位置から離れるように引くことは、前記ループを引き締め、前記アームの前記第２の端部を前記中心軸に向けて撓ませ、前記把持器を捕捉位置にすることによって、前記把持器が前記開位置にあった間に前記ループを通って受容された異物を前記アーム間に捉え、
前記把持器の各アームについて、前記開口は前記アームの前記第２の端部を曲げることから形成される小穴である、摘出器装置。
【請求項２】
前記把持器は前記異物を受容するための開口部と、頂点と、を有する円錐形ネットをさらに含み、前記アームの前記第２の端部における制御ファイバーの前記ループは、前記開口部に近接して、前記円錐形ネットを通って織り込まれており、前記円錐形ネットの前記頂点は、前記把持器の前記アームの前記第１の端部に近接している、請求項１に記載の摘出器装置。
【請求項３】
前記ネットの前記頂点は前記カテーテルの前記第２の端部と前記異物を受容するための前記開口部との間にある、請求項２に記載の摘出器装置。
【請求項４】
前記把持器の各アームについて、前記開口は前記アームの前記第２の端部を内向きに曲げて小穴を形成することから形成される、請求項１〜３のいずれか１項に記載の摘出器装置。
【請求項５】
ずらされた長さの前記４つのアームの前記第１のアームは、最も長いアームである、請求項１〜４のいずれか１項に記載の摘出器装置。
【請求項６】
摘出器装置であって、
ハンドル本体に移動可能に連結された駆動スライドを含むハンドルであって、前記駆動スライドは引出し位置と引込み位置との間を移動可能であり、前記ハンドルはカテーテルの第１の端部に連結され、前記駆動スライドは前記カテーテルの内部で駆動ワイヤの第１の端部に連結され、前記駆動ワイヤは前記カテーテルと実質的に長さが等しい、ハンドルと、
前記駆動ワイヤの前記第１の端部から遠位の、前記駆動ワイヤの第２の端部に固定して連結された把持器であって、前記把持器はずらされた長さの少なくとも３つのアームを含み、各アームは前記駆動ワイヤに連結された第１の端部と、前記駆動ワイヤから遠位の第２の端部と、を有し、各アームの前記第２の端部は開口を含み、前記把持器は、前記把持器が前記カテーテルの前記第２の端部に近接して前記カテーテルの内部に位置する収容位置であって、前記把持器の前記アームは内向きに圧潰され、前記駆動スライドは前記引込み位置にある、収容位置と、前記把持器が前記カテーテルの外側に位置する開位置であって、前記アームは外向きに延ばされ、前記駆動スライドは前記引出し位置にある、開位置と、の間を、前記駆動ワイヤを介して前記駆動スライドによって移動可能である、把持器と、
前記ハンドル本体にスライド可能に連結され、前記カテーテルの前記第１の端部に近接する中立位置を有する制御リングと、
各々が前記制御リングに連結された第１の端部および第２の端部を有する制御ファイバーであって、前記制御ファイバーは前記カテーテルの前記第１の端部から前記把持器へ前記カテーテルの前記内部を下って延び、前記少なくとも３つのアームの第１のアームの前記第２の端部において前記開口を通り抜け、そして、前記制御ファイバーは前記少なくとも３つのアームの各後続のアームの前記開口を通り抜け、前記把持器が前記開位置にあるときに前記把持器の前記アーム間にループが形成されるように前記第１のアームの前記開口を再び通り抜け、その後、前記制御ファイバーは前記カテーテルの前記第２の端部から前記カテーテルの前記第１の端部へ前記カテーテルの前記内部を上って延びる、制御ファイバーと、を備え、
各アームは、前記駆動ワイヤの前記第２の端部の中心軸から外向きに湾曲し、前記駆動ワイヤの前記第２の端部の中心軸から離れるように付勢され、
前記把持器が前記開位置にある間に前記制御リングを前記中立位置から離れるように引くことは、前記ループを引き締め、前記アームの前記第２の端部を前記中心軸に向けて撓ませ、前記把持器を捕捉位置にすることによって、前記把持器が前記開位置にあった間に前記ループを通って受容された異物を前記アーム間に捉える、摘出器装置。
【請求項７】
前記把持器の各アームについて、前記開口は前記アームの前記第２の端部を曲げることから形成される小穴である、請求項６に記載の摘出器装置。
【請求項８】
前記把持器の各アームについて、前記小穴は、前記アームの前記第２の端部を内向きに曲げることから形成される、請求項７に記載の摘出器装置。
【請求項９】
前記把持器の各アームについて、前記開口は前記アームの前記第２の端部を通り抜ける孔である、請求項６に記載の摘出器装置。
【請求項１０】
前記把持器は前記異物を受容するための開口部と、頂点と、を有する円錐形ネットをさらに含み、前記アームの前記第２の端部における制御ファイバーの前記ループは、前記開口部に近接して前記円錐形ネットを通って織り込まれており、前記円錐形ネットの前記頂点は、前記把持器の前記アームの前記第１の端部に近接している、請求項６〜９のいずれか１項に記載の摘出器装置。
【請求項１１】
ずらされた長さの前記少なくとも３つのアームの前記第１のアームは、最も長いアームである、請求項６〜１０のいずれか１項に記載の摘出器装置。
【請求項１２】
ずらされた長さの前記少なくとも３つのアームの前記第１のアームは、最も短いアームである、請求項６〜１０のいずれか１項に記載の摘出器装置。
【請求項１３】
摘出器装置であって、
ハンドル本体に移動可能に連結された駆動スライドを含むハンドルであって、前記駆動スライドは引出し位置と引込み位置との間を移動可能であり、前記ハンドルはカテーテルの第１の端部に連結され、前記駆動スライドは前記カテーテルの内部で駆動ワイヤの第１の端部に連結され、前記駆動ワイヤは前記カテーテルと実質的に長さが等しい、ハンドルと、
前記駆動ワイヤの前記第１の端部から遠位の前記駆動ワイヤの第２の端部に固定して連結された把持器であって、前記把持器はずらされた長さの複数のアームを含み、各アームは前記駆動ワイヤに連結された第１の端部と、前記駆動ワイヤから遠位の第２の端部と、を有し、前記把持器は、前記把持器が前記カテーテルの前記第２の端部に近接して前記カテーテルの内部に位置する収容位置であって、前記把持器の前記アームは内向きに圧潰され、前記駆動スライドは前記引込み位置にある、収容位置と、前記把持器が前記カテーテルの外側に位置する開位置であって、前記アームは外向きに延ばされ、前記駆動スライドは前記引出し位置にある、開位置と、の間を、前記駆動ワイヤを介して前記駆動スライドによって移動可能である、把持器と、
前記ハンドル本体にスライド可能に連結され、前記カテーテルの前記第１の端部に近接する中立位置を有する制御リングと、
各々が前記制御リングに連結された第１の端部および第２の端部を有する制御ファイバーであって、前記制御ファイバーは前記カテーテルの前記第１の端部から前記把持器へ前記カテーテルの前記内部を下って延び、前記複数のアームの第１のアームの前記第２の端部にスライド可能に連結され、また、前記制御ファイバーは前記複数のアームの各後続のアームの前記第２の端部にスライド可能にも連結され、前記把持器が前記開位置にあるときに前記把持器の前記アーム間にループが形成されるように前記第１のアームの前記第２の端部に再び連結され、その後、前記制御ファイバーは前記カテーテルの前記第２の端部から前記カテーテルの前記第１の端部へ前記カテーテルの前記内部を上って延びる、制御ファイバーと、を備え、
各アームは、前記駆動ワイヤの前記第２の端部の中心軸から外向きに湾曲し、前記駆動ワイヤの前記第２の端部の中心軸から離れるように付勢され、
前記把持器が前記開位置にある間に前記制御リングを前記中立位置から離れるように引くことは、前記ループを引き締め、前記アームの前記第２の端部を前記中心軸に向けて撓ませ、前記把持器を捕捉位置にすることによって、前記把持器が開位置にあった間に前記ループを通って受容された異物を前記アーム間に捉える、摘出器装置。
【請求項１４】
前記複数のアームの各アームについて、前記第２の端部は開口を含み、前記制御ファイバーは前記開口を通り抜けることによって前記第２の端部にスライド可能に連結され、前記制御ファイバーは前記第１のアームの前記開口を２回通り抜ける、請求項１３に記載の摘出器装置。
【請求項１５】
前記把持器の各アームについて、前記開口は前記アームの前記第２の端部を曲げることから形成される小穴である、請求項１４に記載の摘出器装置。
【請求項１６】
前記把持器の各アームについて、前記小穴は、前記アームの前記第２の端部を内向きに曲げることから形成される、請求項１５に記載の摘出器装置。
【請求項１７】
前記把持器の各アームについて、前記開口は前記アームの前記第２の端部を通り抜ける孔である、請求項１４に記載の摘出器装置。
【請求項１８】
前記把持器は前記異物を受容するための開口部と、頂点と、を有する円錐形ネットをさらに含み、前記アームの前記第２の端部における制御ファイバーの前記ループは、前記開口部に近接して前記円錐形ネットを通って織り込まれており、前記円錐形ネットの前記頂点は、前記把持器の前記アームの前記第１の端部に近接している、請求項１３〜１７のいずれか１項に記載の摘出器装置。
【請求項１９】
ずらされた長さの前記複数のアームの前記第１のアームは、最も長いアームである、請求項１３〜１８のいずれか１項に記載の摘出器装置。
【請求項２０】
ずらされた長さの前記複数のアームの前記第１のアームは、最も短いアームである、請求項１３〜１８のいずれか１項に記載の摘出器装置。
【発明の詳細な説明】
【技術分野】
【０００１】
関連出願の相互参照
本出願は、２０１７年１２月１日に出願された米国仮特許出願第６２／５９３，３８７号の利益を主張し、その内容は、参照により本明細書に組み込まれる。
【０００２】
本文書の態様は、一般的に、異物を除去するための摘出器装置に関する。
【背景技術】
【０００３】
食道への食物の塊の固着の推定年間発生率は、１０００００人あたり１３件である（ＧＩＥ）。食物による閉塞の一般的な原因としては、好酸球性食道炎、食道狭窄、および食道の広汎性の運動異常を含む。胃腸異物摘出装置における現在の制限のために、食道への食物の固着の除去に３０〜９０分かかり、９つあまりの装置を必要とし得る。消化器学者は、内視鏡および摘出装置で口を通して食道から食物の塊の固着を除去しなければならない。摘出装置は、しばしば、食物物質の破砕を引き起こし、したがって、内視鏡を複数回通過させること、および／または複数回の摘出試行を必要とし、これは処置時間全体を増加させる。結果的にこれは肺吸引（すなわち、肺に物質が入ること）、気道障害、および／または食道穿孔のリスクを増加させる。
【０００４】
多くの従来の摘出装置は、カテーテルの端部から延びるプロングを利用し、フックを使用して食物を掴んで引き抜く。これらの装置は、塊への比較的明確な手法を医者に提供する一方で、組織の損傷を引き起こし、塊を頻繁に破砕し、処置時間、肺吸引のリスク、および食道穿孔を増加させ得る。他の摘出装置は、食道から塊を掬い取るネットが付いたバスケットを利用する。これらの装置は、しばしば、破砕および可能性のある肺吸引のリスクを減少させるためにネットを利用するが、使用に際して、装置が塊の後ろに周って曲がることが必要であり、これは、塊に簡単にさらなる衝撃を与え得る困難な処置であり、摘出をさらに困難にする。また、バスケットタイプの装置は、１度きりの使用用途であっても、あまり耐久性がない。
【０００５】
また、従来の摘出装置は、適切な技術の開発を必要とし、しばしば、捕捉機構と、異物に向かって、または異物を通り過すぎる前進移動との同時動作を必要とし、これらのチャネルのうちの１つにおけるタイミングの悪さ、または過度の移動は不良の結果をもたらし得る。
【発明の概要】
【０００６】
１つの態様によると、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の、駆動ワイヤの第２の端部に固定して連結された把持器であって、把持器はずらされた長さの４つのアームを含み、各アームは駆動ワイヤに連結された第１の端部と、駆動ワイヤから遠位の第２の端部と、を有する、把持器をさらに備える。各アームの第２の端部は開口を含み、把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置は、ハンドル本体にスライド可能に連結され、カテーテルの第１の端部に近接する中立位置を有する制御リングと、各々が制御リングに連結された第１の端部および第２の端部を有する制御ファイバーであって、制御ファイバーはカテーテルの第１の端部から把持器へカテーテルの内部を下って延び、４つのアームの第１のアームの第２の端部において開口を通り抜け、そして、ファイバーは４つのアームの各後続のアームの開口を通り抜け、把持器が開位置にあるときに把持器のアーム間にループが形成されるように第１のアームの開口を再び通り抜け、その後、制御ファイバーはカテーテルの第２の端部からカテーテルの第１の端部へカテーテルの内部を上って延びる、制御ファイバーと、も備える。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。最後に、把持器の各アームについて、開口はアームの第２の端部を曲げることから形成される小穴である。
【０００７】
特定の実施形態は、以下の特徴のうちの１つ以上を含んでもよい。把持器は異物を受容するための開口部と、頂点と、を有する円錐形ネットをさらに含んでもよい。アームの第２の端部における制御ファイバーのループは、開口部に近接して、円錐形ネットを通って織り込まれていてもよい。円錐形ネットの頂点は、把持器のアームの第１の端部に近接していてもよい。ネットの頂点はカテーテルの第２の端部と異物を受容するための開口部との間にあってもよい。把持器の各アームについて、開口はアームの第２の端部を内向きに曲げて小穴を形成することから形成されてもよい。最後に、ずらされた長さの４つのアームの第１のアームは、最も長いアームであってもよい。
【０００８】
本開示の別の態様によると、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の駆動ワイヤの第２の端部に固定して連結された把持器であって、把持器はずらされた長さの少なくとも３つのアームを含む、把持器をさらに備える。各アームは駆動ワイヤに連結された第１の端部と、駆動ワイヤから遠位の第２の端部と、を有し、各アームの第２の端部は開口を含む。把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置は、ハンドル本体にスライド可能に連結され、カテーテルの第１の端部に近接する中立位置を有する制御リングと、各々が制御リングに連結された第１の端部および第２の端部を有する制御ファイバーと、も備える。制御ファイバーはカテーテルの第１の端部から把持器へカテーテルの内部を下って延び、少なくとも３つのアームの第１のアームの第２の端部において開口を通り抜け、そして、ファイバーは少なくとも３つのアームの各後続のアームの開口を通り抜け、把持器が開位置にあるときに把持器のアーム間にループが形成されるように第１のアームの開口を再び通り抜け、その後、制御ファイバーはカテーテルの第２の端部からカテーテルの第１の端部へカテーテルの内部を上って延びる。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。
【０００９】
特定の実施形態は、以下の特徴のうちの１つ以上を含んでもよい。把持器の各アームについて、開口はアームの第２の端部を曲げることから形成される小穴であってもよい。把持器の各アームについて、開口はアームの第２の端部を通り抜ける孔であってもよい。ずらされた長さの少なくとも３つのアームの第１のアームは、最も長いアームであってもよい。最後に、ずらされた長さの少なくとも３つのアームの第１のアームは、最も長いアームであってもよい。
【００１０】
本開示のさらに別の態様によると、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の駆動ワイヤの第２の端部に固定して連結された把持器も備え、把持器はずらされた長さの複数のアームを含む。各アームは駆動ワイヤに連結された第１の端部と、駆動ワイヤから遠位の第２の端部と、を有する。把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置は、ハンドル本体にスライド可能に連結され、カテーテルの第１の端部に近接する中立位置を有する制御リングと、各々が制御リングに連結された第１の端部および第２の端部を有する制御ファイバーと、をさらに備える。制御ファイバーはカテーテルの第１の端部から把持器へカテーテルの内部を下って延び、複数のアームの第１のアームの第２の端部にスライド可能に連結され、また、ファイバーは複数のアームの各後続のアームの第２の端部にスライド可能に連結され、把持器が開位置にあるときに把持器のアーム間にループが形成されるように第１のアームの第２の端部に再び連結され、その後、制御ファイバーはカテーテルの第２の端部からカテーテルの第１の端部へカテーテルの内部を上って延びる。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。
【００１１】
特定の実施形態は、複数のアームの各アームについて、第２の端部は開口を含み得、制御ファイバーは開口を通り抜けることによって第２の端部にスライド可能に連結され得るように修正されてもよく、または適応されてもよい。制御ファイバーは第１のアームの開口を２回通り抜けてもよい。
【００１２】
本明細書において提示される開示の態様および適用が、図面および詳細な説明で下記に説明される。特に記されない限り、本明細書および特許請求の範囲における単語および句は、適用可能な技術における当業者にとって明白で、通常の、および慣れ親しんだ意味が付与されるように意図される。発明者らは、所望される場合、自身の辞書編集者となり得ることを完全に認知している。発明者らは自身の辞書編集者として、特に明確に述べない限り、そしてさらに、その用語の「特別な」定義を明確に示して、明白で、および通常の意味とどのように異なるのかを説明しない限り、本明細書および特許請求の範囲において、明白で、および通常の用語の意味のみを使用することを明確に選ぶ。このような「特別な」定義を適用する意図の明確な記述がなければ、用語に対して単純で、明白で、および通常の意味が本明細書および特許請求の範囲の解釈に適用されることが発明者らの意図および望みである。
【００１３】
発明者らは、英語文法の通常の規範についても認知している。したがって、名詞、用語、または句が何らかの方法でさらに特徴付けられ、特定され、または狭められるように意図される場合、英語文法の通常の指針に従って、このような名詞、用語、または句は、追加の形容詞、記述用語、またはその他の修飾語句を明確に含むであろう。このような形容詞、記述用語、または修飾語句の使用がなければ、このような名詞、用語、または句は、上記で示されたような適用可能な技術における当業者にとって、それらの明白で、および通常の英語の意味が付与されることが意図される。
【００１４】
発明を実施するための形態または図面の簡単な説明または特許請求の範囲における「機能」、「手段」または「ステップ」という単語の使用は、本発明を定義するために、特則３５Ｕ．Ｓ．Ｃ．§１１２（ｆ）を行使するという所望を何らかの形で示すことが意図されない。逆に、本発明を定義するために、特則３５Ｕ．Ｓ．Ｃ．§１１２（ｆ）の条項を行使することが求められる場合、特許請求の範囲は、「ための手段」または「ためのステップ」という厳密な句を具体的に、明確に述べ、また、このような句において機能を支持する任意の構造、材料、または作用も詳述することはなく、「機能」という単語を詳述するであろう（すなわち、「［機能挿入］の機能を実行するための手段」を述べるであろう）。したがって、特許請求の範囲が「・・・の機能を実行するための手段」または「・・・の機能を実行するためのステップ」と詳述する場合でも、特許請求の範囲がその手段もしくはステップを支持するか、または詳述された機能を実行する任意の構造、材料、もしくは作用も詳述する場合、特則３５Ｕ．Ｓ．Ｃ．§１１２（ｆ）を行使しないことが発明者らの明確な意図である。さらに、特許請求の範囲の態様を定義するために特則３５Ｕ．Ｓ．Ｃ．§１１２（ｆ）の条項を行使する場合でも、これらの態様は、好ましい実施形態で説明される特定の構造、材料、または作用のみに限定されないが、また、本開示の代替の実施形態もしくは形式において説明されるような特許請求の範囲の機能を実行するか、または特許請求の範囲の機能を実行するための公知で存在するか、もしくは後に開発される、等価の構造、材料、または作用である、あらゆるすべての構造、材料、または作用を含むことが意図される。
【００１５】
前述の、および他の態様、特徴、ならびに利点は、発明を実施するための形態、および図面から、ならびに特許請求の範囲から、当業者に明らかになるであろう。
【図面の簡単な説明】
【００１６】
本発明は、添付の図面に関連して以降で説明され、同様の参照符号は同様の要素を示す。
図１は、摘出器装置の正面図である。
図２は、図１の摘出器装置の側面図である。
図３は、図１の摘出器装置の切欠図である。
図４は、把持器の側面図である。
図５Ａおよび図５Ｂは、把持器アームの側面図である。
図６Ａ、図６Ｂおよび図６Ｃは、把持器が収容位置、開位置、および捕捉位置にある摘出器装置の正面図である。
図７は、ネットを備える把持器の斜視図である。
【発明を実施するための形態】
【００１７】
本開示、その態様および実施は、本明細書において開示される特定の材料の種類、構成要素、方法、または他の例に限定されない。当該技術分野で公知である多くの追加の材料の種類、構成要素、方法および手順が、本開示からの特定の実施とともに使用されることが想定される。したがって、例えば、特定の実施が開示されるが、このような実施および構成要素の実施は、意図された動作に一貫する、このようなシステムおよび構成要素の実施のための当該技術分野において公知の任意の構成要素、型式、種類、材料、バージョン、量、および／または同様のものを含んでもよい。
【００１８】
「例示の」および「例」という単語またはこれらの様々な形式は、本明細書において、例、実例、または例証としての役割をすることを意味するように使用される。本明細書において「例示」として、または「例」として説明されるあらゆる態様または設計は、必ずしも、他の態様または設計よりも好ましい、または有益であると解釈される必要はない。さらに、例は明確さ、および理解の目的のためのみに提供され、開示される主題もしくは本開示の関連部分をいかなる方式でも限定する、または制限するように意味されない。範囲を変更する無数の追加の、または代替の例が提示されてきたが、簡潔性の目的のために省略されたことが認められたい。
【００１９】
本開示は多くの異なる形式での多数の実施形態を含む一方で、本開示は開示される方法およびシステムの原理の例示として見做されるべきであり、開示される概念の幅広い態様を例証される実施形態に限定することを意図しないという理解のもとで特定の実施形態が図面に示され、および本明細書において詳細に説明される。
【００２０】
本説明において、および特許請求の範囲において使用される場合、「含む」という動詞およびその活用は、その単語に続く項目が含まれるが、特に挙げられない項目が除外されないことを意味するための非限定的な意味で使用される。また、不定冠詞「ａ」または「ａｎ」による要素への参照は、文脈がその要素のうちの１つおよび１つのみがあることを明確に要求しない限り、２つ以上のその要素が存在するという可能性を除外しないしたがって、不定冠詞「ａ」または「ａｎ」は、通常、「少なくとも１つ」を意味する。
【００２１】
食道への食物の塊の固着の推定年間発生率は、１０００００人あたり１３件である（ＧＩＥ）。食物による閉塞の一般的な原因としては、好酸球性食道炎、食道狭窄、食道の広汎性の運動異常を含む。胃腸異物摘出装置における現在の制限のために、食道への食物の固着の除去に３０〜９０分かかり、９つあまりの装置を必要とし得る。消化器学者は、内視鏡および摘出装置で口を通して食道から食物の塊の固着を除去しなければならない。摘出装置は、しばしば、食物物質の破砕を引き起こし、したがって、内視鏡を複数回通過させること、および／または複数回の摘出試行を必要とし、これは処置時間全体を増加させる。結果的にこれは肺吸引（すなわち、肺に物質が入ること）、気道障害、および／または食道穿孔のリスクを増加させる。
【００２２】
多くの従来の摘出装置は、カテーテルの端部から延びるプロングを利用して、フックを使用して食物の塊を掴んで引き抜く。これらの装置は、塊への比較的明確な手法を医者に提供する一方で、組織の損傷を引き起こし、塊を頻繁に破砕し、処置時間、肺吸引のリスク、および食道穿孔を増加させ得る。他の摘出装置は、食道から塊を掬い取るネットが付いたバスケットを利用する。これらの装置は、しばしば、破砕および可能性のある肺吸引のリスクを減少させるためにネットを利用するが、使用に際して、装置が塊の後ろに周って曲がることが必要であり、これは、塊に簡単にさらなる衝撃を与え得る困難な処置であり、摘出をさらに困難にする。また、バスケットタイプの装置は、１度きりの使用用途であっても、あまり耐久性がない。
【００２３】
また、従来の摘出装置は、適切な技術の開発を必要とし、しばしば、捕捉機構と、異物に向かって、または異物を通り過ぎる前進移動との同時動作を必要とし、これらのチャネルのうちの１つにおけるタイミングの悪さ、または過度の移動は不良の結果をもたらし得る。
【００２４】
本明細書において想定されるのは、異物の除去のための摘出装置であり、その特定の例示的な実施形態が例証され、および／または説明される。摘出器装置は、ハンドルと、駆動スライドと、制御リングと（または他の制御構造）、を備える。本開示の目的のために、用語「摘出装置」および「摘出器装置」は交換可能に使用され、同じ意味をもつ。駆動スライドは駆動ワイヤを介して把持器に連結され、制御リングは制御ファイバーを介して把持器に連結される。駆動ワイヤおよび制御ファイバーは、ハンドルに連結されたカテーテルの内部を通って延びる。把持器は複数のアームを備える。制御ファイバーは把持器アームの遠位端にスライド可能に連結されてループを形成する。
【００２５】
カテーテルは内視鏡内に挿入され、カテーテルは内視鏡の遠位端を出る。駆動スライドが前進されると（すなわち、カテーテルに向けて）、駆動ワイヤはカテーテル内にさらに進み、把持器はカテーテル外に進められる。制御リングがカテーテルに向けて押されると、制御ファイバーはカテーテル内にさらに進められ、ループ半径が増大する。これらの２つの作用は、摘出装置が以前に固定した物質を解放することを可能にし、および／または把持器が物質を摘出する準備をする。装置が異物を囲むと、制御リングが引かれ、これにより、制御ファイバーがハンドルに向けて引込み、ループ半径が減少する（把持器の底を閉める）。そして、駆動スライドは引き戻されることができ（すなわち、カテーテルから離れるように）、これにより、把持器がカテーテルの内部に向けて引込む。これらの２つの作用は装置が異物を固定し、および摘出することを可能にする。
【００２６】
想定される摘出装置は、身体または周囲の組織を破砕するか、または切り通すリスクを最少にして、摘出するために異物を固定することができる。これは異物摘出のためのより安全でより効率的な方法を提供し、処置時間を削減し、処置室の回転率をより速くする。本装置は、平均人件費を削減すること、麻酔の持続時間を削減すること、合併症のリスクを減少させることもできる。また、本装置は医者に明確な手法を提供する。本明細書において想定される摘出装置の動作は、従来の摘出装置が必要とする、ある程度の技能および技術を必要としないが、それでもより良好な結果を生む。
【００２７】
下記の開示および使用の事例の多くは、上部消化管から食物の塊を除去する文脈においてなされる一方で、本明細書において想定される摘出装置はＧＩ管における適用に限定されないことが留意されるべきである。当業者は、これらの装置は他の環境および生体システムからの異物または組織の除去における使用に適応され得ることを認識するであろう。
【００２８】
図１〜図３は摘出器装置１００の非限定的な例の正面図および側面図である。詳細には、図１は摘出器装置の正面図であり、図２は側面図であり、図３は図２の線Ａ−Ａに沿って取った摘出器装置の切り欠き図である。これらの図面は正確な縮尺で描かれておらず、要素の相対的な寸法が明確さのために調整されていることが留意されるべきである。
【００２９】
図１〜図３の例示的な実施形態に示されるように、摘出器装置１００は、ハンドル本体１０４を有するハンドル１０２と、駆動スライド１０６と、制御リング１１８と、親指リング１２８と、キャップ１２６と、を備える。駆動スライド１０６は駆動ワイヤ３００を介して把持器１１４に連結され、制御リング１１８は制御ファイバー（またはワイヤまたは可撓性ロッド）１２０を介して把持器１１４に連結される。特定の実施形態では、制御ファイバー１２０以外の制御機構が利用されてもよい。駆動ワイヤ３００および制御ファイバー１２０は、ハンドルに連結されたカテーテル１０８の内部を通って延びる。把持器１１４は複数のアーム１１６を備える。制御ファイバー１２０は把持器アーム１１６の遠位端にスライド可能に連結されてループ１２２を形成する。
【００３０】
駆動スライド１０６が前進されると（すなわち、カテーテル１０８に向けて）、駆動ワイヤ３００はカテーテル内にさらに進められ、把持器１１４はカテーテル１０８の他方の端部外に前進められる。制御リング１１８がカテーテル１０８に向けて押されると、制御ファイバー１２０はカテーテル１０８内にさらに進められ、把持器アーム１１６の端部におけるループ１２２はさらに広く開く。制御リング１１８が後ろ向きに引かれると（すなわち、カテーテルから離れるように）、ループ１２２が引き締められ、アーム１１６を内向きに撓ませ、アーム１１６間に異物を捕捉する。異物を除去するために摘出装置１００を使用するステップが、下記で図６Ａ〜図６Ｃに関してより詳細に述べられる。
【００３１】
様々な実施形態によると、摘出装置１００は、殺菌可能で、医療用途に安全な材料からなる。いくつかの実施形態では、摘出装置１００は、１度きりの使用、使い捨て用品、とすることができる安価な材料からなっていてもよい。より珍しい、または高価な材料の使用を必要とする、より要求の厳しい条件（例えば、より狭い空間、把持器１１４上のより多くのアーム１１６など）において動作するように構成された実施形態など、他の実施形態では、摘出装置１００は再利用可能であってもよい。様々な構成要素の材料は下記にさらに述べられる。
【００３２】
本説明およびそれに続く特許請求の範囲の文脈において、方向「上」または記述「上る」はハンドル１０２に向かう方向を指し、「下」または「下る」は把持器１１４に向かう方向を指す子ことが留意されるべきである。例えば、ハンドル１０２はカテーテル１０８および把持器１１４の両方の上にある。
【００３３】
図示されるように、ハンドル１０２は、ストッパ１０５を備えたハンドル本体１０４と、駆動ワイヤブロック１０７を備えた駆動スライド１０６と、キャップ１２６と、を備える。ハンドル本体１０４は、駆動スライド１０６および制御リング１１８がそれに沿って前後に移動し、カテーテル１０８の内部で駆動ワイヤ３００および制御ファイバー１２０が前後にスライドする、レールとしての役割をする。
【００３４】
いくつかの実施形態では、ハンドル本体１０２は本来円筒状であり得る一方で、他において、非円形の断面を有してもよい。様々な実施形態によると、ハンドル本体１０２は、駆動ワイヤ３００および制御ファイバー１２０のための空所を内部に有し、それらは、ハンドル本体１０２を上下にスライドすることができる駆動スライド１０６および制御リング１１８によってそれぞれ作動される。
【００３５】
様々な実施形態によると、ストッパ１０５は、ハンドル本体１０４に沿った駆動スライド１０６および制御リング１１８の動きまたは移動を制限する。例えば、図示されるように、駆動スライド１０６は、ストッパ１０５の上部およびストッパ１０５の上において親指リング１２８の下でハンドル本体１０４の一部に閉じ込められ、制御リング１１８は、ストッパ１０５の下およびキャップ１２６の上においてハンドル本体１０４の一部に閉じ込められる。
【００３６】
いくつかの実施形態では、ハンドル本体１０４は、図１に示される２つのストッパ１０５など、多数のストッパ１０５を備えてもよい。他の実施形態では、ハンドル本体１０４は単一のストッパ１０５（例えば、ハンドル本体１０４の外周から突出するリングなど）を備えてもよい。さらに他の実施形態では、他のストッパ構造が利用されてもよい。
【００３７】
様々な実施形態によると、駆動スライド１０６は、駆動ワイヤ３００とのユーザのインターフェースであり、ユーザが駆動ワイヤ３００をカテーテル１０８内へ／カテーテル１０８から外へ、進ませる、または引込ませることを可能にする。図示されるように、駆動スライド１０６は指ループを有してもよい。特定の例として、ハンドル１０２は、ユーザが、片手で駆動ワイヤ３００を操作するために、親指をハンドル１０２の上部における親指リング１２８に挿入して、人差し指および中指を駆動スライド１０６のループに挿入するように構成されてもよい。
【００３８】
摘出装置１００の把持器１１４はカテーテル１０８を通して対象の異物へのアクセスを得る。カテーテル１０８は、第１の端部１１０（すなわち、ハンドル１０２端部）と、第１の端部１１０から遠位の第２の端部１１２（すなわち、把持器１１４端部）と、を有する。摘出装置１００は、２００ｍｍまたは２４０ｍｍなどの標準的な長さ、または意図される用途に適切な任意の他の長さのカテーテル１０８を使用してもよい。カテーテル１０８の直径は、２．２ｍｍ〜２．６ｍｍ、または４ｍｍ以上のように、より大きくてもよい、標準的な寸法の内視鏡に適合する範囲であり得る。
【００３９】
把持器１１４は、異物を掴んで、異物を、異物が壊れる機会を最小限にする一方で、摘出され得るのに十分に固定する役割をする。図示されるように、把持器１１４は複数のアーム１１６を備える。様々な実施形態によると、把持器１１４のアーム１１６は、寸法がずらされていて、アーム１１６のカテーテル１０８を通した挿入および移動を容易にし得る。把持器１１４は、異物に到達するためにカテーテル１０８の内部に嵌まることができ、異物を捕捉するために十分に広く開く必要がある。特定の例として、把持器１１４は、２０〜２８ｍｍの開直径を有する一方で２．２ｍｍ未満の閉直径（例えば、把持器１１４の最も広い部分）を有してもよい。
【００４０】
把持器１１４のアーム１１６は、アーム１１６がカテーテル１０８の内部に嵌まるために曲がることができ、カテーテル１０８の外側では勢いよく開くことができ、制御ファイバー１２０が引かれ、ループ１２２が閉じ込められたときに不均衡な変形に耐えることができるように十分に硬い必要がある。様々な実施形態によると、把持器１１４のアーム１１６は、ステンレス鋼（例えば３０２ステンレス鋼など）、または当該技術分野において公知の他の可撓性材料から構築されてもよい。把持器１１４は下記で図４、図５Ａ、および図５Ｂに関してより詳細に述べられる。
【００４１】
制御リング１１８は、制御ファイバー１２０を通した把持器１１４のアーム１１６とのユーザのインターフェースである。制御リング１１８はハンドル本体１０４にスライド可能に連結され、カテーテル１０８を通して制御ファイバー１２０を進めるか、または引込めるためにハンドル本体１０４を上下に移動させることができる。いくつかの実施形態では、制御リング１１８は、制御リング１１８を中立位置から上向きに引くことを容易にする指フックを備えてもよく、これは図６Ｂおよび図６Ｃに関してより詳細に述べられる。
【００４２】
制御ファイバー１２０は、第１の端部３０６と、第１の端部３０６から遠位の第２の端部３０８と、を有する可撓性フィラメントである。図３に示される非限定的な例を含むいくつかの実施形態では、制御ファイバー１２０の両端は制御リング１１８に連結されてもよい。他の実施形態では、一方の端部のみが制御リング１１８に連結される一方で、制御ファイバー１２０の他方の端部は移動しないようにハンドル１０２または把持器１１４に固定される。制御ファイバー１２０の両方の端部が制御リング１１８に連結される実施形態では、制御ファイバー１２０は２回カテーテル１０８を通り抜けてもよい一方で、他の実施形態では、制御ファイバー１２０は１回以上カテーテルを通り抜けてもよい。
【００４３】
制御ファイバーは、把持器１１４の各アーム１１６の第２の、または下部の端部にスライド可能に連結される。本説明およびそれに続く特許請求の範囲の文脈において、アームにスライド可能に連結された制御ファイバーは、各アームに対する「ファイバー」の相対位置が固定される（すなわち、ファイバーは各アーム上の特定の位置に常に位置する）一方で、ファイバー自体はアームを通って、または過ぎて移動することができることを意味する。いくつかの実施形態では、各アーム１１６は、ファイバーが通り抜ける開口を備える一方で、他の実施形態では、ファイバー１２０はアーム内の切り欠き内にあってもよい。
様々な種類の開口が図４に関して下記で述べられる。
【００４４】
図示されるように、制御ファイバー１２０は、第１のアーム１２４から開始して、そして各後続または隣接のアーム１１６に連結し、第１のアーム１２４に再度連結してアーム１１６の端部においてループを形成するまで、把持器１１４の各アーム１１６の下端部にスライド可能に連結される。いくつかの実施形態では、制御ファイバー１２０は第１のアーム１２４においてそれ自体を横切る一方で、他の実施形態では、制御ファイバー１２０は、第１のアーム１２４に対する２つの平行な経路に従い得る。
【００４５】
制御リング１１８が上向きに引かれると、ループ１２２が引き締められ、アームの下端部が内向きに引かれる。そして、アーム間に位置するあらゆる物質または物が捕捉され、摘出のために装置の残りとともに引かれることができる。第１のアームは、図６Ａに関してさらに下記で述べられる。
【００４６】
摘出される異物はループ１２２を通り抜けるため、ループ１２２の寸法は、摘出装置１００の様々な実施形態の重要な設計考慮事項となる。利用可能なループの寸法は、把持器１１４のアーム１１６の寸法および形状によって部分的に決められる。アーム１１４の長さは、駆動スライド１０６の可能な移動（例えば、駆動ワイヤ３００がカテーテルを通してどれほど移動できるか）によって部分的に決められる。様々な実施形態によると、駆動スライド１０６の移動は、医者の手の大きさによって部分的に決められる。駆動スライド１０６を片手で操作するためには、制御リング１１８を同時に操作できることが必要であり、駆動スライド１０６の移動は快適な範囲内でなければならない。いくつかの実施形態では、駆動スライドの範囲は、７０ｍｍ〜１００ｍｍであってもよい。特定の実施形態では、駆動スライドの移動は、７０ｍｍ〜９０ｍｍであり、２０ｍｍ〜２８ｍｍのループ外周をもたらす。
【００４７】
様々な実施形態によると、ループ１２２は、把持器１１４が開いており、異物を捕捉する用意ができているとき、比較的張り詰めている。制御ファイバー１２０における張力は、ループ１２２が異物を通り過ぎて押され得るのに十分に高くあるべきであるが、異物を切り通すよりも、異物の不規則な形状の周りを移動できるのに十分に緩くあるべきである。制御ファイバー１２０の張力は、ハンドル本体１０４上の、利用可能な範囲または移動に沿った、制御リング１１８の位置によって決められる。別の実施形態では、制御リング１１８の移動は５０ｍｍに制限され、駆動スライド１０６は８０ｍｍに制限される。
【００４８】
制御ファイバー１２０は、異物を把持しながら、アーム１１６によって加えられる緊張に耐える一方、把持器１１４のアーム１１６を容易にスライドして通り過ぎることができる、強固でありながら可撓性の材料からなる。いくつかの実施形態では、制御ファイバー１２０はポリプロピレンからなる一方で、他の実施形態では、制御ファイバー１２０はナイロン、または当該技術分野において公知の他の重合体からなる。いくつかの実施形態では、制御ファイバー１２０は縫合糸であってもよい。いくつかの実施形態では、制御ファイバー１２０の直径は、０．８〜１．２ｍｍの範囲であってもよい一方で、他の実施形態では、制御ファイバー１２０の直径は０．２ｍｍ以上であり得る。いくつかの実施形態では、制御ファイバー１２０は単一の糸である一方で、他の実施形態では、制御ファイバー１２０は、当該技術分野で公知であるような、編まれるか、または撚られていてもよい。
【００４９】
駆動ワイヤ３００は、駆動スライド１０６を把持器１１４に接続し、第１の端部３０２（例えば、上端部）と第２の端部３０４（例えば、下端部）と、を備える。駆動ワイヤ３００は、駆動スライド１０６が最高位置にあるときに、把持器１１４がカテーテルの内部に引込められ、かつ、駆動スライド１０６が最低位置にあるときに、把持器がカテーテル１０８の外側にあり、摘出のために異物を受容する用意ができているように、駆動ワイヤ３００が通り抜けるカテーテル１０８と長さが実質的に等しい。
【００５０】
駆動ワイヤ３００は把持器１１４に連結される。いくつかの実施形態では、把持器１１４のアーム１１６は、駆動ワイヤ３００の第２の端部３０４に直接固定される。例えば、１つの実施形態では、アーム１１６は駆動ワイヤ３００の第２の端部３０４上にレーザー溶接される。他の実施形態では、把持器１１４は、駆動ワイヤ３００の端部に取り付けられる前にすでに組み立てられたユニットであってもよい。いくつかの実施形態では、把持器１１４は駆動ワイヤ３００に解放可能に連結され、交換可能であり、これにより、珍しい材料を使用する実施形態において有益であり得る。
【００５１】
駆動ワイヤ３００は、異物を引く緊張に耐えるのに十分に強固で、かつカテーテルと共に曲がって摘出部位に到達するのに十分に可撓性のある弾性材料からなる。いくつかの実施形態では、駆動ワイヤ３００は、ステンレス鋼から作られる一方で、他の実施形態では、当該技術分野で公知の他の材料から作られてもよい。駆動ワイヤ３００は、カテーテルの内部に嵌まるのに十分に小さい必要がある。１つの実施形態では、駆動ワイヤは、直径が１．５９ｍｍである一方で、別の実施形態では、直径が０．７９ｍｍである。駆動ワイヤ３００は、単一の糸であってもよく、または、編まれるか、もしくは撚られた複数の糸であってもよい。
【００５２】
様々な実施形態によると、駆動ワイヤ３００は、ハンドルワイヤ３０１を通して駆動スライド１０６に取り付けられ、ハンドルワイヤ３０１は、駆動ワイヤ３００よりもかなり硬い材料の区分であり、大部分はハンドル１０２の内部にある。特定の例として、駆動ワイヤ３００は、１６ゲージのステンレス鋼で作られたハンドルワイヤ３０１上に溶接されてもよく、そしてハンドルワイヤ３０１は駆動スライド１０６に取り付けられる。ハンドルワイヤ３０１の使用は、カテーテルの技術において公知である。
【００５３】
様々な実施形態によると、駆動ワイヤ３００は、駆動スライドブロック１０７を通して駆動スライド１０６に取り付けられてもよい。図示されるように、駆動スライド１０６は、側部に開口部を有し、開口部は、ハンドル本体１０４の長さに延びる軌道に整列される。駆動スライドブロック１０７は、開口部および軌道の内部に嵌まり、駆動ワイヤ３００またはハンドルワイヤ３０１に連結されて、駆動スライド１０６をハンドル本体１０４にスライド可能に連結させ、駆動ワイヤ３００に固定させて連結させたままにする。
【００５４】
特定の実施形態では、ハンドル１０２は以下のように組み立てられ得る。駆動スライド１０６は、ハンドル本体１０４の上側上をスライドしてもよい。駆動スライドブロックは、駆動スライド１０６側における開口部を通して挿入される。ハンドルワイヤ３０１は、ブロックの底部における孔に挿入され、ブロック１０７に接着される。親指リング１２８はハンドル本体１０４の頂部に取り付けられる。制御リング１１８は、ハンドル本体１０４の下端部上をスライドし、キャップ１２６の取付具によってハンドル本体１０４の下端部に閉じ込められ、ハンドルワイヤ３０１はキャップ内の孔を通り抜ける。そして、制御ファイバー１２０はキャップ内の孔を通り抜けて、制御リング１１８に取り付けられる。
【００５５】
図４は、制御ファイバー１２０を備えない把持器１１４の非限定的な例の側面図である。図示されるように、把持器１１４は、第１の端部４００（例えば、上端部）と、第２の端部４０２（例えば、下端部）と、を各々が有する複数のアーム１１６を備える。いくつかの実施形態では、把持器１１４は、４つのアーム１１６を備えてもよい一方で、他の実施形態では、把持器１１４は、５つのアーム１１６、６つのアーム１１６、またはそれより多いなど、３つ以上のアーム１１６を備えてもよい（例えば、ループ１２２を作ることができるように）。
【００５６】
いくつかの実施形態では、把持器１１４のアーム１１６は同一であってもよい一方で、他の実施形態では、アーム１１６は異なる長さを有してもよい。ずらされた長さを有するアーム１１６の使用は、アーム１１６が第２の端部４０２に開口４０６を有する実施形態において有利である。長さをずらすことは、第２の端部４０２が互いに対して押されて把持器１１４を必要以上に広げないように把持器１１４をカテーテル１０８の内部に嵌めることを容易にする。
【００５７】
いくつかの実施形態では、制御ファイバー１２０は、第２の端部４０２における開口４０６を通り抜けることによってアーム１１６にスライド可能に連結されてもよい。様々な実施形態によると、開口４０６は、理想的には、制御ファイバー１２０が最小限の抵抗で通り抜けることを可能にするように必要以上に大きくない。このような制限は、把持器１１４の捕捉能力全体を最大化し得る。
【００５８】
いくつかの実施形態では、開口４０６は、すべて同じ寸法であってもよい一方で、他の実施形態では、第１のアーム１２４の開口４０６は、制御ファイバー１２０がその開口を２回通り抜けるように、より大きくてもよい。いくつかの実施形態では、アーム１１６は同一であってもよい一方で、他の実施形態では、第１のアーム１２４の開口４０６は異なる向きを有してもよい。特定の例として、ファイバー１２０のスライドを容易にするために、第１のアーム１２４の開口４０６は、ループ１２２に正接であってもよく、残りのアーム１１６の開口４０６はループ１２２に垂直であってもよい。開口４０６におけるさらなる変形が図５Ａおよび図５Ｂに関してさらに述べられる。
【００５９】
図４は、駆動ワイヤ３００の第２の端部３０４の中心軸４０４も示し、中心軸４０４はアームの形状の次の記述における基準の点としての役割をする。
【００６０】
図５Ａおよび図５Ｂは把持器アーム１１６の非限定的な例の側面図である。詳細には、図５Ａは、開口４０６が小穴５００であるアーム１１６の側面図を示し、図５Ｂは、開口４０６が孔５０２であるアーム１１６の側面図を示す。これらの２つの例示の開口４０６は、限定することを意味せず、制御ファイバー１２０をスライド可能に連結するための他の手段として、アーム１１６の第２の端部４０２が本開示における他の箇所で述べられ、さらに他の手段が当該技術分野で公知である。
【００６１】
様々な実施形態によると、下記で図６Ｂに関して述べられるように、把持器１１４のアーム１１６は、駆動ワイヤ３００によって前方へ押されてカテーテルを出るように、中心軸４０４から外向きにそれぞれ曲げられ、中心軸４０４から離れるように付勢され、アーム１１６は、開位置６１０に勢いよく入り、開位置６１０に向けて駆動し、または開位置６１０に向けて付勢される。アーム１１６の付勢は、当該技術分野で公知であるように、互いに、または駆動ワイヤ３００に連結する前にアーム１１６を成形することによって作られてもよい。
【００６２】
図示されるように、いくつかの実施形態では、アーム１１６は中心軸４０４から外向きに曲がるが、第２の端部４０２の近くのアーム１１４の一部は内向きに凹んでいる。形状などは、制御ファイバーループ１２２の引き締めを容易にし、異物を捕捉して把持器１１４を捕捉位置６１４内にするためにアームの第２の端部４０２を内向きにし、これは図６Ｃに関してより詳細に述べられる。
【００６３】
いくつかの実施形態では、アーム１１６の第１の端部４００と第２の端部４０２との間で角度が形成される一方で、把持器１１４は３０〜６０度である開位置６１０にある。いくつかの実施形態では、アーム１１６は滑らかな湾曲で中心軸４０４から外向きに曲がってもよい一方で、他の実施形態では、アーム１１６は１つ以上の頂点を有してもよい。先述のように、
アーム１１６の長さは、少なくとも部分的に、平均的な医者の予測される手の大きさ（手動操作のための）、または駆動スライド１０６の移動長さに依ってもよい。詳細な例として、１つの実施形態では、アーム１１６は、平均長が３８ｍｍ、および直径が０．５ｍｍの円筒状であり得る。
【００６４】
アーム１１６は、可撓性でありながら、カテーテルから押し出されたときに勢いよく開くように十分強固な付勢を有し、制御ファイバーループ１２２を作り、ならびに摘出のために異物を捕捉するように異物の周りに曲げられる張力に耐えるのに十分に堅固である材料からなる。いくつかの実施形態では、アーム１１６は、ステンレス鋼（例えば、３０２ステンレス鋼）からなってもよい一方で、他の実施形態では、アーム１１６は、当該技術分野で公知である他の材料からなってもよい。
【００６５】
図５Ａは、開口４０６が、アーム１１６の第２の端部４０２を曲げて円を作ることによって形成される小穴５００であるアーム１１６を示す。いくつかの実施形態では、曲げは内向きで、中心軸４０４に向いている一方で、他の実施形態では、曲げは異なる方向にされてもよい。いくつかの実施形態では、小穴５００は、封止されて閉鎖される（例えば、アーム１１６に端部４０２をレーザー溶接する、またはスポット溶接する）一方で、他の実施形態では、端部は、端部４０２とアーム１１６との間の隙間がファイバー１２０よりも小さくなるまで曲げられてもよい。任意選択として、小穴５００の内部および縁は、機械加工されるか、または他の方法で滑らかにされて、摩擦を減少させ、および小穴５００を通る制御ファイバー１２０のスライドを容易にしてもよい。
【００６６】
図５Ｂは、開口４０６が、アーム１１６の第２の端部４０２を通り抜ける孔５０２であるアーム１１６を示す。いくつかの実施形態では、孔５０２は直線であってもよい一方で、他の実施形態では、孔５０２はループ１２２または理想化されたループ１２２の経路に従ってもよい。いくつかの実施形態では、孔５０２は、機械加工または鋳造によって形成されてもよい一方で、他の実施形態では、孔５０２はレーザーまたは当該技術分野で公知である他の切断方法で切断されてもよい。任意選択として、孔５０２の内部および縁は、機械加工されるか、または他の方法で滑らかにされて、摩擦を減少させ、および孔５０２を通る制御ファイバー１２０のスライドを容易にしてもよい。
【００６７】
図６Ａ〜図６Ｃは、様々な段階の動作における摘出器装置１００の非限定的な例の正面図を示す。図６Ａは、駆動スライド１０６が引込み位置６０２にある摘出器装置１００の正面図である。本説明およびそれに続く特許請求の範囲の文脈において、駆動スライド１０６の引込み位置６０２は、駆動ワイヤ３００が、把持器１１４がカテーテル１０８の第２の端部１１２の内部に完全にあるように十分に引き戻される、ハンドル本体１０４に沿った位置である。図示されるように、駆動スライド１０６を引込み位置６０２にすることは、把持器１１４を収容位置６００内に配置する。このような構成において、制御リング１１８の位置には重要性はなくてもよい。
【００６８】
様々な実施形態によると、駆動スライド１０６が引込み位置６０２にあり、把持器１１４が収容位置６００にある、図６Ａに示される構成は、摘出装置を使用するための最初の構成である。この構成に配置された後、カテーテル１０８は内視鏡内に挿入され、そして、挿入のための準備において、内視鏡（図示せず）の遠位端を出る。
【００６９】
図示されるように、アーム１１６は、カテーテル１０８の内部で利用可能な狭い空間を最大限に活かすためにずらされた長さを有してもよい。いくつかの実施形態では、第１のアーム１２４（すなわち、ループ１２２が開始し、終了するアーム１１６）は最長のアーム６０６である一方で、他の実施形態では、最短のアーム６０８であり、さらに他の実施形態では、最長６０６でも最短６０８でもない。
【００７０】
図６Ｂは、駆動スライド１０６が引出し位置６１２にある、図６Ａの摘出器装置１００の正面図を示す。この構成は、カテーテルの第２の端部が、摘出される異物の近くにあると、到達されてもよい。本説明およびそれに続く特許請求の範囲の文脈において、駆動スライド１０６の引出し位置６１２は、駆動ワイヤ３００が、把持器１１４がカテーテル１０８の第２の端部１１２の実質的に外側にあるように十分に前へ押される、ハンドル本体１０４に沿った位置である。図示されるように、駆動スライド１０６を引出し位置６１２にすることは、把持器１１４を開位置６１０内に配置する。このような構成では、先述のように、制御リング１１８の位置は、ループ１２２が形成されることを可能にし、制御ファイバー１２０における張力の十分なレベルを確立する中立位置６０４である。
【００７１】
最後に、図６Ｃは、制御リング１１８が中立位置６０４から引き離され、制御ファイバー１２０のうちのいくつかをカテーテル１０８内に引き、ループ１２２を引き締め（例えば、ループ半径を減少させる、ループ外周を減少させるなど）、それによってアーム１１６の第２の端部４０２を内向きに曲げるか、または撓ませ、把持器１１４を捕捉位置６１４にする、図６Ａおよび図６Ｂの摘出器装置１００の正面図を示す。この構成は、異物６１６が把持器１１４の「捕捉量」内にある（例えば、アーム間にあるなど）と、到達されてもよい。
【００７２】
本説明およびそれに続く特許請求の範囲の文脈において、把持器１１４の捕捉位置６１４は、第２の端部４０２が開位置６１０にあるときよりも中心軸４０４に近い位置である。把持器１１４が捕捉位置６１４に配置される前にアーム１１６と中心軸４０４の付近との間にあったあらゆる異物６１６は、捕捉され、患者から装置全体を引き抜くことによる摘出の用意ができている。
【００７３】
様々な実施形態によると、捕捉位置６１４は、制御リング１１８上の圧力を上向きに維持することによって維持される。医者は、片手で制御リング１１８を上向きに引くことによって制御ファイバー１２０上の張力を保つ一方で、もう片方の手で患者の口から装置全体を引くことができる。再度、本例が食道管から食物の塊を摘出する文脈においてなされる一方で、本明細書において想定される装置は他の文脈においても適用されてもよいことが留意されるべきである。
【００７４】
図７は円錐ネット７００を備える把持器１１４の斜視図である。把持器１１４へのネット７００の追加は、そうでなければ気道に入ってしまう何らかの「かけら」を含むことによって摘出装置１００の物質の肺への吸引を防止する能力を強化し得る。これは、気道を保護するために気管内チューブまたはオーバーチューブを使用する必要性を減少させるか、またはなくし、費用を削減させ、必要な時間を減少させ、処置上の合併症の機会を減少させる有益性を有する。しかしながら、ネット７００の使用は、カテーテル１０８の内部に嵌まる必要がある材料の量を増加させるため、費用がかかる。
【００７５】
図示されるように、ネット７００は、異物６１６を受容する開口部７０２と、開口部７０２から遠位であり、把持器アーム１１６の第１の端部（または駆動ワイヤ３００の第２の端部３０４）に近接している頂点７０４と、を有する。いくつかの実施形態では、ネット７００は把持器１１４のアーム１１６に連結されてもよい。任意選択として、制御ファイバー１２０は、開口部７０２に近接して、ループ１２２に沿ってネット７００を通して織り込まれてもよい。いくつかの実施形態では、頂点７０４は把持器１１４に連結されてもよい。
【００７６】
ネットを使用する従来の摘出装置と異なり、図７に示される把持器１１４のネット７００は異物６１６に向けて下向きである。これは、物を掬い上げるために従来のネットを備えた摘出装置に必要とされる複雑な曲げ操作が必要とされないことを意味する。本明細書において開示される種類のネットを使用する利点は、ネットを使用する従来の摘出器において見られる欠点がより少ないことにある。
【００７７】
特定の実施形態では、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の、駆動ワイヤの第２の端部に固定して連結された把持器であって、把持器はずらされた長さの４つのアームを含み、各アームは駆動ワイヤに連結された第１の端部と、駆動ワイヤから遠位の第２の端部と、を有する、把持器をさらに備える。各アームの第２の端部は開口を備え、把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置はまた、ハンドル本体にスライド可能に連結され、カテーテルの第１の端部に近接する中立位置を有する制御リングと、各々が制御リングに連結された第１の端部および第２の端部を有する制御ファイバーと、をさらに備え、制御ファイバーはカテーテルの第１の端部から把持器へカテーテルの内部を下って延び、４つのアームの第１のアームの第２の端部において開口を通り抜け、そして、ファイバーは４つのアームの各後続のアームの開口を通り抜け、把持器が開位置にあるときに把持器のアーム間にループが形成されるように第１のアームの開口を再び通り抜け、その後、制御ファイバーはカテーテルの第２の端部からカテーテルの第１の端部へカテーテルの内部を上って延びる。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。最後に、把持器の各アームについて、開口はアームの第２の端部を曲げることから形成される小穴である。
【００７８】
特定の実施形態は、以下の特徴のうちの１つ以上を含んでもよい。把持器は異物を受容するための開口部と、頂点と、を有する円錐形ネットをさらに含んでもよい。アームの第２の端部における制御ファイバーのループは、開口部に近接して、円錐形ネットを通って織り込まれていてもよい。円錐形ネットの頂点は、把持器のアームの第１の端部に近接していてもよい。ネットの頂点はカテーテルの第２の端部と異物を受容するための開口部との間にあってもよい。把持器の各アームについて、開口はアームの第２の端部を内向きに曲げて小穴を形成することから形成されてもよい。最後に、ずらされた長さの４つのアームの第１のアームは、最も長いアームであってもよい。
【００７９】
他の実施形態によると、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の駆動ワイヤの第２の端部に固定して連結された把持器であって、把持器はずらされた長さの少なくとも３つのアームを含む、把持器をさらに備える。各アームは駆動ワイヤに連結された第１の端部と、駆動ワイヤから遠位の第２の端部と、を有し、各アームの第２の端部は開口を含む。把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置は、ハンドル本体にスライド可能に連結され、カテーテルの第１の端部に近接する中立位置を有する制御リングと、各々が制御リングに連結された第１の端部および第２の端部を有する制御ファイバーと、も備える。制御ファイバーはカテーテルの第１の端部から把持器へカテーテルの内部を下って延び、少なくとも３つのアームの第１のアームの第２の端部において開口を通り抜け、そして、ファイバーは少なくとも３つのアームの各後続のアームの開口を通り抜け、把持器が開位置にあるときに把持器のアーム間にループが形成されるように第１のアームの開口を再び通り抜け、その後、制御ファイバーはカテーテルの第２の端部からカテーテルの第１の端部へカテーテルの内部を上って延びる。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。
【００８０】
特定の実施形態は、以下の特徴のうちの１つ以上を含んでもよい。把持器の各アームについて、開口はアームの第２の端部を曲げることから形成される小穴であってもよい。把持器の各アームについて、開口はアームの第２の端部を通り抜ける孔であってもよい。ずらされた長さの少なくとも３つのアームの第１のアームは、最も長いアームであってもよい。最後に、ずらされた長さの少なくとも３つのアームの第１のアームは、最も短いアームであってもよい。
【００８１】
本開示のさらに他の実施形態によると、摘出器装置は、ハンドル本体に移動可能に連結された駆動スライドを含むハンドルであって、駆動スライドは引出し位置と引込み位置との間を移動可能であり、ハンドルはカテーテルの第１の端部に連結され、駆動スライドはカテーテルの内部で駆動ワイヤの第１の端部に連結され、駆動ワイヤはカテーテルと実質的に長さが等しい、ハンドルを備える。摘出器装置は、駆動ワイヤの第１の端部から遠位の駆動ワイヤの第２の端部に固定して連結された把持器も備え、把持器はずらされた長さの複数のアームを含む。各アームは駆動ワイヤに連結された第１の端部と、駆動ワイヤから遠位の第２の端部と、を有する。把持器は、把持器がカテーテルの第２の端部に近接してカテーテルの内部に位置する収容位置であって、把持器のアームは内向きに圧潰され、駆動スライドは引込み位置にある、収容位置と、把持器がカテーテルの外側に位置する開位置であって、アームは外向きに延ばされ、駆動スライドは引出し位置にある、開位置と、の間を、駆動ワイヤを介して駆動スライドによって移動可能である。摘出器装置は、ハンドル本体にスライド可能に連結され、カテーテルの第１の端部に近接する中立位置を有する制御リングと、各々が制御リングに連結された第１の端部および第２の端部を有する制御ファイバーと、をさらに備える。制御ファイバーはカテーテルの第１の端部から把持器へカテーテルの内部を下って延び、複数のアームの第１のアームの第２の端部にスライド可能に連結され、また、ファイバーは複数のアームの各後続のアームの第２の端部にスライド可能に連結され、把持器が開位置にあるときに把持器のアーム間にループが形成されるように第１のアームの第２の端部に再び連結され、その後、制御ファイバーはカテーテルの第２の端部からカテーテルの第１の端部へカテーテルの内部を上って延びる。各アームは、駆動ワイヤの第２の端部の中心軸から外向きに湾曲し、駆動ワイヤの第２の端部の中心軸から離れるように付勢される。把持器が開位置にある間に制御リングを中立位置から離れるように引くことは、ループを引き締め、アームの第２の端部を中心軸に向けて撓ませ、把持器を捕捉位置にすることによって、把持器が開位置にあった間にループを通って受容された異物をアーム間に捉える。
【００８２】
特定の実施形態は、複数のアームの各アームについて、第２の端部は開口を含み得、制御ファイバーは開口を通り抜けることによって第２の端部にスライド可能に連結され得るように修正されてもよく、または適応されてもよい。制御ファイバーは第１のアームの開口を２回通り抜けてもよい。
【００８３】
上記の例、実施形態、および実施参照例において、他の摘出装置およびシステムおよび製造装置および例が互いに混合され得るか、または提供されるそれらのものと置換され得ることが当業者によって理解されるべきである。上記の説明が摘出装置およびカスタム方法の特定の実施形態を参照する箇所では、その精神から逸脱せずに多数の修正がなされ得ること、ならびにこれらの実施形態および実施が他の摘出装置カスタム技術にも適用され得ることが容易に明らかであろう。したがって、開示される主題は、本開示の精神および範囲、ならびに当業者の知識内のすべてのこのような変更、修正、および変形を受け入れるように意図される。
【００８４】
本文書に提示されるあらゆる寸法は例示のためのみであり、本開示の範囲の限定ではない。実施形態は、実質的に、本方法またはシステムの意図される動作に一貫するあらゆる構成要素が利用されてもよいため、本明細書において開示される特定の構成要素に限定されないことが理解されるであろう。したがって、例えば、特定の材料、構造、および連結が開示されても、このような構成要素は、摘出装置の意図される動作に一貫する任意の形状、寸法、スタイル、種類、型式、バージョン、クラス、グレード、測定値、濃度、材料、重量、量などを含んでもよい。
【００８５】
したがって、任意の摘出装置の実施形態を定義する構成要素は、選択された構成要素が摘出装置の実施形態の意図される動作に一貫するという条件で、成形された物体に簡単に形成されることができる多くの様々な種類の材料またはそれらの組み合わせから形成されてもよい。例えば、構成要素は、熱可塑性物質（ＡＢＳ、フルオロポリマー、ポリアセタール、ポリアミド、ポリカーボネート、ポリエチレン、ポリスルホンなど）などの重合体、熱硬化性樹脂（エポキシ、フェノール樹脂、ポリイミド、ポリウレタン、シリコン、または他の同様の材料など）、ガラス（クォーツガラスなど）、カーボンファイバー、アラミドファイバー、それらの任意の組み合わせ、または他の同様の材料、混合物、金属（亜鉛、ニチノール、マグネシウム、チタニウム、銅、鉛、鉄、鋼、炭素鋼、合金鋼、工具鋼、ステンレス鋼、真鍮、錫、アンチモン、純アルミニウム、１１００アルミニウム、アルミニウム合金、または他の同様の材料など）、合金（アルミニウム合金、チタニウム合金、マグネシウム合金、銅合金、それらの任意の組み合わせ、または他の同様の材料など）、および１つ位以上の他の同様の材料を含む上記のいずれかの１つ以上のうちの１つ以上を含むことができる。
【００８６】
様々な摘出装置の実施形態は、本明細書で説明される手順に追加されたものとして、および本明細書で説明される手順を通して改良されたものとして、従来の手順を使用して製造されてもよい。いくつかの構成要素は、互いに同時におよび一体的に接合されて製造されてもよい一方で、他の構成要素は、購入された、事前に製造されるか、または別々に製造されたものを、一体的な構成要素と組み立てられてもよい。
【００８７】
したがって、別々の、または同時のこれらの構成要素の製造は、押し出し、引き抜き成形、真空形成、射出成型、ブロー成型、樹脂トランスファー成形、鋳造、鍛造、冷間圧延、粉砕、掘削、溶接、はんだ付け、硬化、リベット打ち、パンチング、めっき、または他の同様の工程のうちの１つ以上を含んでもよい。構成要素のいずれかが別々に製造される場合、例えば、他の考慮の中でも構成要素を形成する特定の材料に依って、構成要素は次に、接着、溶接、締結（例えば、ボルト、ナット、ねじ、くぎ、リベット、ピン）、配線、それらの任意の組み合わせなどの任意の好適な方式で互いに連結されてもよい。
【００８８】
本明細書の教示を読んで、当業者は、特定の状況下で、技術、ユーザの要求などの変化などの事柄を考慮して、多様な締結装置が、本開示の１つ以上の構成要素を固定する、連結する、または解放可能に連結するために使用されてもよい（本明細書において使用されるそれらの単語のように）ことを理解するであろう。これらの締結装置は、接着、ベルト、ボルト、バックル、クラスプ、ラッチ、ロック、ねじ、スナップ、クランプ、コネクタ、カップリング、タイ、またはこれから開発される他の締結手段のうちの１つ以上を含んでもよい。
【００８９】
同様に、本明細書の教示を読んで、当業者は、特定の状況下で、技術、主な要求などの変化などの事柄を考慮して、接着、ベルト、ボルト、バックル、クラスプ、ラッチ、ロック、ねじ、スナップ、クランプ、コネクタ、カップリング、タイ、またはこれから開発される他の締結手段などの多様な締結装置が、上述の締結具または締結手段にいずれかの代わりに、またはいずれかと併用して使用されてもよいことを理解するであろう。
【００９０】
摘出装置の実施形態のアセンブリが、本文書において開示されるステップの特定の順序に限定されないことが理解されるであろう。本明細書において示される摘出装置の実施形態のアセンブリのステップまたはステップのシーケンスは、可能性のあるステップまたはステップのシーケンスの例として、様々なアセンブリ工程およびステップのシーケンスが摘出装置の実施形態を組み立てるために使用されてもよいため、限定としてではなく、与えられる。
【００９１】
上記の説明が特定の実施形態を参照する箇所では、その精神から逸脱せずに多数の修正がなされ得ること、およびこれらの実施形態が、開示されたか、または未開示の他の実施形態にも適用され得ることが容易に明らかであろう。添付の特許請求の範囲は、このような修正を本文書に示された開示の精神および範囲内であるとして包括するように意図される。したがって、本開示の実施形態は、例証的および非限定的としてあらゆる点で見做されるべきであり、本開示の範囲は先述の説明よりも添付の特許請求の範囲によって示される。特許請求の範囲の等価の意味および等価の範囲内の変化はすべて、その中に含まれることが意図される。
【図１】
2021505224.tif 000003
【図２】
2021505224.tif 000004
【図３】
2021505224.tif 000005
【図４】
2021505224.tif 000006
【図５Ａ】
2021505224.tif 000007
【図５Ｂ】
2021505224.tif 000008
【図６Ａ】
2021505224.tif 000009
【図６Ｂ】
2021505224.tif 000010
【図６Ｃ】
2021505224.tif 000011
【図７】
2021505224.tif 000012
【国際調査報告】
2021505224.tif 000013
2021505224.tif 000014